(57)【要約】      （修正有）【課題】包装容器内に、貯蔵時間にわたってガスを発生する食品、たとえばコーヒーが包装されて入る場合、発生するガスを外部に放出させるため、比較的簡単に製作することができ、僅かな開放圧を有する過圧弁を提供する。【解決手段】包装容器内での過圧発生時には、過圧が貫通開口を介して弁ダイアフラムに作用し、更に、このスペース層１５が、少なくとも部分的に直接ベースプレート１１に結合されており、弁ダイヤフラム２０とスペース層１５との間に縁側で少なくとも部分的にギャップ２３が形成されているようにした。【選択図】図２
2006176212.tif 000002
【特許請求の範囲】
【請求項１】
包装容器の包装材料壁（１）の内面（２）に配置された、包装容器に用いられる過圧弁（１０；３０；４０；５０；６０）であって、少なくとも１つの貫通部（１４）を有するベースプレート（１１）と、少なくとも１つの貫通部（１４）に重なる、ベースプレート（１１）に少なくとも部分的に結合された弁ダイヤフラム（２０；３２；４２；５１；６１）とが設けられており、ベースプレート（１１）が、包装材料壁（１）に向かい合った側に縁側でスペース層（１５）を備えており、該スペース層（１５）が、包装材料壁（１）の内面（２）に結合されており、ベースプレート（１１）と、弁ダイヤフラム（２０）と、スペース層（１５）とが、それぞれプラスチックシートウェブの層からなっている形式のものにおいて、スペース層（１５）が、少なくとも部分的に直接ベースプレート（１１）に結合されており、弁ダイヤフラム（２０；３２；４２；５１；６１）とスペース層（１５）との間に縁側で少なくとも部分的にギャップ（２３）が形成されていることを特徴とする、包装容器に用いられる過圧弁。
【請求項２】
弁ダイヤフラム（２０）が、該弁ダイヤフラム（２０）に一体成形された少なくとも１つの結合領域（２４；３１；４１；４３；５２）を有している、請求項１記載の過圧弁。
【請求項３】
弁ダイヤフラム（２０）が、少なくとも１つの結合領域（２４）を含めて、スペース層（１５）によって仕切られた内側輪郭（１８）の内部に配置されており、結合領域（２４）が、ベースプレート（１１）に結合されていて、特に接着されている、請求項２記載の過圧弁。
【請求項４】
少なくとも１つの結合領域（３１；４１；４３；５２）が、ベースプレート（１１）とスペース層（１５）との間の重なり領域にまで突入しており、少なくとも１つの結合領域（３１；４１；４３；５２）が、ベースプレート（１１）もしくはスペース層（１５）に結合されていて、特に接着されている、請求項２記載の過圧弁。
【請求項５】
結合領域が、突出部（２４）として弁ダイヤフラム（２０）の外側輪郭に形成されている、請求項３または４記載の過圧弁。
【請求項６】
ベースプレート（１１）と、弁ダイヤフラム（２０；３２；４２；５１；６１）と、スペース層（１５）とが、ほぼ方形に形成されており、該スペース層（１５）が、弁ダイヤフラム（２０；３２；４２；５１；６１）を収容するための方形の切欠き（１８）を有している、請求項１から５までのいずれか１項記載の過圧弁。
【請求項７】
弁ダイヤフラム（６１）が、ベースプレート（１１）の１つの辺の全長にわたって該ベースプレート（１１）の外側輪郭（１２）にまで延びている、請求項６記載の過圧弁。
【請求項８】
弁ダイヤフラム（２０；３２；４２；５１；６１）が、孔なしにもしくはスリットなしに形成されている、請求項１から７までのいずれか１項記載の過圧弁。
【発明の詳細な説明】
【技術分野】
【０００１】
本発明は、包装容器の包装材料壁の内面に配置された、包装容器に用いられる過圧弁であって、少なくとも１つの貫通部を有するベースプレートと、少なくとも１つの貫通部に重なる、ベースプレートに少なくとも部分的に結合された弁ダイヤフラムとが設けられており、ベースプレートが、包装材料壁に向かい合った側に縁側でスペース層を備えており、該スペース層が、包装材料壁の内面に結合されており、ベースプレートと、弁ダイヤフラムと、スペース層とが、それぞれプラスチックシートウェブの層からなっている形式のものに関する。
【背景技術】
【０００２】
このような過圧弁は、ドイツ連邦共和国特許出願公開第１０２５０３１８号明細書に基づき公知である。この公知の過圧弁は、重なり合って配置された複数の層から形成されている。この場合、スリット、孔またはこれに類するものの形の貫通部を有する弁ダイヤフラムが、スペース層に向かい合った側において縁側で全面にわたってスペース層に結合されている。これによって、包装容器の包装材料壁に設けられたパーフォレーションへの包装体内部の空気の直接的な流入を阻止することができる。したがって、食品によって産出されたガスによる包装体内部での過圧の発生時には、まず、弁ダイヤフラムがベースプレートから持ち上がらなければならない。これによって、貫通部もしくは通路が、弁ダイヤフラムに設けられた孔もしくはスリットにまで形成される。したがって、包装体内圧が弁ダイヤフラムを、まず、この弁ダイヤフラムの緊締力に抗して変形させなければならない。これによって、スリットもしくは孔の方向での通過が可能となる。
【特許文献１】ドイツ連邦共和国特許出願公開第１０２５０３１８号明細書
【発明の開示】
【発明が解決しようとする課題】
【０００３】
本発明の課題は、冒頭で述べた形式の、包装容器に用いられる過圧弁を改良して、比較的簡単に製作することができ、僅かな開放圧を有する過圧弁を提供することである。
【課題を解決するための手段】
【０００４】
この課題を解決するために本発明の構成では、スペース層が、少なくとも部分的に直接ベースプレートに結合されており、弁ダイヤフラムとスペース層との間に縁側で少なくとも部分的にギャップが形成されているようにした。
【発明の効果】
【０００５】
請求項１の特徴を備えた、包装容器に用いられる本発明による過圧弁は、弁ダイヤフラムとベースプレートとの間の部分的にしか存在しない結合によって、所要のダイヤフラム撓み力が著しく減少させられるかもしくはほぼ相殺され、これによって、一方では、過圧弁の特に低い開放圧を形成することができ、他方では、製作時の特に高いプロセス確実性が可能となるという利点を有している。
【０００６】
包装容器に用いられる本発明による過圧弁の有利な構成は従属請求項に記載してある。
【発明を実施するための最良の形態】
【０００７】
以下に、本発明を実施するための最良の形態を図面につき詳しく説明する。
【０００８】
図１および図２に示した第１の過圧弁１０は包装容器（図示せず）、たとえば包装袋の内面に配置されている。この包装容器内には、貯蔵時間にわたってガスを発生する食品、たとえばコーヒが包装されている。この食品のガスは過圧弁１０を介して周辺に放出される。このためには、過圧弁１０が、包装材料ウェブ１の、のちに包装容器の内面を形成する面２に固定されている。
【０００９】
過圧弁１０はベースプレート１１を有している。このベースプレート１１の外側輪郭１２は、丸み付けられた角隅を備えて正方形にもしくは長方形に形成されている。ベースプレート１１は、有利には、約２００μｍの厚さを備えたＰＥＴ（ポリエチレンテレフタレート）から成っている。ベースプレート１１の中心には、貫通開口１４が形成されている。この貫通開口１４は、たとえば会社ロゴまたは交差する２つの円の形状を有している。
【００１０】
包装材料ウェブ１の面２に向かい合った側でベースプレート１１にスペース層１５が接着されている。このスペース層１５は、たとえば同じくＰＥＴから成っていて、同じく約２００μｍの厚さを有している。スペース層１５の外側輪郭１６はベースプレート１１の外側輪郭１２に相当している。スペース層１５は、付加的に内側の切欠き１８を有している。この切欠き１８の形状は外側輪郭１６に適合されており、これによって、同じ幅の、全周にわたって延びる縁部１９が得られる。ベースプレート１１の、縁部１９によって覆われない領域には、弁ダイヤフラム２０が配置されている。
【００１１】
この弁ダイヤフラム２０は同じくＰＥＴから成っていて、約２５μｍの厚さを有している。弁ダイヤフラム２０の形状もしくは外側輪郭２２はスペース層１５の切欠き１８の形状に適合されており、これによって、弁ダイヤフラム２０の外側輪郭２２とスペース層１５の切欠き１８との間に、ほぼ完全に全周にわたって延びるギャップ２３が形成されている。付加的には、弁ダイヤフラム２０がその一方の長手方向辺にノーズ状の突出部２４を有している。この突出部２４は弁ダイヤフラム２０に一体に成形されている。一般的にこのような弁ダイヤフラム２０は１回の打抜き過程によって製作することができる、突出部２４によって、弁ダイヤフラム２０がベースプレート１１に結合されている。この場合、このためには、接着材層２５が、突出部２４の、ベースプレート１１に向かい合った側で突出部２４に被着されている。
【００１２】
付加的には、ベースプレート１１と弁ダイヤフラム２０との間にシール流体（図示せず９）、有利にはシリコーン油が配置されている。このシール流体は粘着力によって弁ダイヤフラム２０をベースプレート１１に粘着させることができ、この場合、弁ダイヤフラム２０をギャップ２３に対してシールしている。
【００１３】
包装容器内での過圧の発生時には、この過圧が貫通開口１４を介して弁ダイヤフラム２０に作用する。規定された過圧が上回られるやいなや、貫通開口１４の領域から出発してギャップ２３の方向に通路が形成される。この通路は、弁ダイヤフラム２０の部分的な持上りと、この箇所でのシリコーン油膜の裂開とによって生ぜしめられる。したがって、過圧をギャップ２３と、包装材料壁１に形成された、スペース層１５の切欠き１８の範囲内に位置するパーフォレーション４とを介して周辺に放出することができる。
【００１４】
突出部２４によって、弁ダイヤフラム２０がベースプレート１１の領域に一義的に位置固定される。この場合、弁ダイヤフラム２０は、突出部２４の領域を除いて極めて容易にベースプレート１１から持ち上がることができる。
【００１５】
図３に示した過圧弁３０では、その突出部３１が弁ダイヤフラム３２に過圧弁１０に比べて拡大されて形成されており、これによって、突出部３１が部分的にベースプレート１１とスペース層１５との間の重なり領域に突入している。過圧弁３０は、弁ダイヤフラム３２を、たとえばベースプレート１１へのスペース層１５の被着前にすでに取り付けることができるという利点を有している。この場合、弁ダイヤフラム３２とベースプレート１１との間の結合は、スペース層１５の下面に全面にわたって配置された接着材層を介して行うことができる。
【００１６】
図４に示した過圧弁４０は、弁ダイヤフラム４２の、一方の突出部４１と反対の側に配置された付加的な突出部４３の点で過圧弁３０と異なっている。この場合、両突出部４１，４３は同一に形成されている。過圧弁４０では、弁ダイヤフラム４２を特に正確にベースプレート１１に位置決めすることができる。
【００１７】
図５に示した過圧弁５０は弁ダイヤフラム５１を有している。この弁ダイヤフラム５１は、その１つの辺の全幅にわたって延びる突出部５２を有している。この突出部５２はベースプレート１１とスペース層１５との間の重なり領域に突入していて、ベースプレート１１とスペース層１５との間に配置されている。過圧弁５０では、弁ダイヤフラム５１が同じく極めて正確にベースプレート１１に位置決め可能である。この場合、弁ダイヤフラム５１はその長方形の切断片に基づき極めて簡単に打抜き加工することができるかもしくは製作することができる。
【００１８】
図６に示した過圧弁６０は弁ダイヤフラム６１を有している。この弁ダイヤフラム６１はベースプレート１１の全長もしくは全幅にわたって延びている。ここでも、弁ダイヤフラム６１はベースプレート１１とスペース層１５との間に配置されている。この限りにおいて、過圧弁６０は特に廉価に製作することができる。なぜならば、この過圧弁６０は極めて容易に個々の弁ウェブによって形成することができるからである。この場合、過圧弁６０は、重なり合って配置された包装材料ウェブからの外側輪郭の打抜きによって形成される。
【００１９】
上述した過圧弁は種々の形式で変化させることができるかもしくは変更することができる。特にその形状は方形に限定されていない。むしろ、過圧弁はその形状において、たとえば円形に形成されてもよい。
【図面の簡単な説明】
【００２０】
【図１】包装容器に用いられる本発明による過圧弁の平面図である。
【図２】包装体壁に固定された過圧弁における図１のＩＩ−ＩＩレベルの断面図である。
【図３】変更された過圧弁の平面図である。
【図４】変更された過圧弁の平面図である。
【図５】変更された過圧弁の平面図である。
【図６】変更された過圧弁の平面図である。
【符号の説明】
【００２１】
１  包装材料ウェブ、  ２  面、  ４  パーフォレーション、  １０  過圧弁、  １１  ベースプレート、  １２  外側輪郭、  １４  貫通開口、  １５  スペース層、  １６  外側輪郭、  １８  切欠き、  １９  縁部、  ２０  弁ダイヤフラム、  ２２  外側輪郭、  ２３  ギャップ、  ２４  突出部、  ２５  接着材層、  ３０  過圧弁、  ３１  突出部、  ３２  弁ダイヤフラム、  ４０  過圧弁、  ４１  突出部、  ４２  弁ダイヤフラム、  ４３  突出部、  ５０  過圧弁、  ５１  弁ダイヤフラム、  ５２  突出部、  ６０  過圧弁、  ６１  弁ダイヤフラム
【図１】
2006176212.tif 000003
【図２】
2006176212.tif 000004
【図３】
2006176212.tif 000005
【図４】
2006176212.tif 000006
【図５】
2006176212.tif 000007
【図６】
2006176212.tif 000008